(57)【要約】      （修正有）【課題】使い捨て可能な、うがい容器、家庭用液体台所洗剤等の液体容器の液漏れ垂れ受け皿スタンドを提供する。【解決手段】液体容器の液漏れ垂れ防止受け皿をもつスタンドで、間口の狭い、空きスペースに乏しい洗面所・洗面台にも置き切れるコンパクトな、軽く撥水性・耐水性があり、溜まった水も、梅雨時の除湿機のように簡単に手間無く排水でき、落下・転倒しても容易に壊れないスタンドを提供する。衛生面から、最高の衛生状態とするために使い捨てとし、ペットボトルの廃材で受け皿とし、必要に応じて、受け皿に溜まった液の再流出を防ぐため、ティッシュペーパー台所用キッチンペーパー等を受け皿上に敷き、滴り落ちた液体を吸い取らせ、二重に液漏れ垂れ防止する。台所で使用する家庭用液体洗剤もスタンドとして使用すれば、床を濡らすことを防止することに改善が期待できる。液体容器に使途に応じて、複数の多様な使用方法が考えられる。【選択図】図１
2014158645.tif 000002
【特許請求の範囲】
【請求項１】
うがい容器、家庭用液体台所洗剤等の液体容器の液漏れ垂れ受け皿スタンド
【請求項２】
さらに、使い捨て可能な、請求項１のうがい容器、家庭用液体台所洗剤等の液体容器の液漏れ垂れ受け皿スタンド
【請求項３】
さらに、廃棄ペットボトル容器を利用した請求項１の使い捨て可能な、うがい容器、家庭用液体台所洗剤等の液体容器の液漏れ垂れ受け皿スタンド。
【請求項４】
さらに、残液が僅かになった家庭用液体台所洗剤等の粘着性液体容器を逆さにし残液をすぐに使い始めることを可能にしやすくする請求項１のうがい容器、家庭用液体台所洗剤等の液体容器の液漏れ垂れ受け皿スタンド
【発明の詳細な説明】
【技術分野】
【０００１】  本発明は、廃棄ペットボトルを利用した、使い捨て可能な、うがい容器、家庭用液体台所洗剤等の液体容器の液漏れ垂れ受け皿に関するものである。
【技術背景】
【０００２】  冬場の季節、インフルエンザ警報が日本各県に発令されているが、インフルエンザの罹患防止や感染拡大防止に外出帰宅時に手洗いとうがいの励行が職場や家庭で行うよう、職場や政府・各医療機関から呼びかけられている。そのうがい薬入りボトルだが、１２０ｍｌのプラスチック製小瓶に希釈兼うがい用として同じく透明プラスチック製の６０ｍｌ程度の希釈液を入れることが可能な小カップを使用し、１２０ｍｌの小瓶の頭に上下逆さまに載せ保管している。しかし、この保管方法では小カップうがい使用後の残渣のしずくや、手洗い後手拭が不完全なままうがいの為１２０ｍｌのうがい薬入り小瓶を持つことで、液垂れがその小瓶を置いた床面に頻繁に起こり、床を濡らすのが悩みの種であった。
【０００３】  液垂れは、小瓶を持ち上げると、丁度輪の形で水の冠状態に床に液垂れが起こり、床を濡らしていた。うがいとは通常は洗面所等水周りで行うことが多いため、洗面所の空きスペース等床面を濡らしても良い箇所での保管が一般的かと思われるが、小生が入居する築年数が３０年以上経過した構造の古い官舎であれば、洗面所の構造も真新しいものではなく、うがい薬入りボトルのような小瓶といえども、置くスペースに恵まれた広い洗面台や台所のシンク等水周りは備え付けられていなかった。
【０００４】  従って、うがい薬入りプラス製ボトルを支えることが可能な、液漏れ垂れ防止受け皿をもつスタンドで、間口の狭い、空きスペースに乏しい洗面所・洗面台にも置き切れるコンパクトなもの、軽く撥水性があり、溜まった水も、梅雨時の除湿機のように簡単に手間無く排水できるものを自作する必要があった。間口の狭い、空きスペースに乏しい洗面所・洗面台では、うがい薬入りボトルのような小さいボトルでされ、通常の木製の棚に置かざるを得ず、頻繁なうがいにより、木製の棚を濡らし続けることは、好ましくないと思われたからである。
【発明が解決しようとする課題】
【０００５】  数ある液体入り容器で、職場や家庭で使用するものの内、冬季インフルエンザ流行期におけるうがい薬入りプラス製ボトルこそ、液漏れ垂れを起こす最たるもののひとつと考えられた。なぜなら、洗面所で手洗い後濡れた手で頻繁に、しかも少量ずつ少量ずつ使用し、且つ使用後はうがい用小カップを上下逆さまにそのボトルの上部に乗せて置くことがあったからである。これを支えることが可能な、液漏れ垂れ防止受け皿をもつスタンドで、間口の狭い、空きスペースに乏しい洗面所・洗面台にも置き切れるコンパクトなもの、軽く撥水性・耐水性があり、溜まった水も、梅雨時の除湿機のように簡単に手間無く排水できるもの、狭い洗面所でも、落下・転倒しても容易に壊れないものを自作する必要があった。間口の狭い、空きスペースに乏しい洗面所・洗面台では、うがい薬入りボトルのような小さいボトルでされ、通常の木製の棚に置かざるを得ず、頻繁なうがいにより、木製の棚を濡らし続けることは、好ましくないと思われたからである。
【課題を解決するための手段】
【０００７】  衛生面から、最高の衛生状態とするために使い捨てとし、環境負荷から液体によって、ペットボトルの廃材で受け皿を作成できないか考えた。必要に応じて、受け皿に溜まった液の再流出を防ぐため、ティッシュペーパー台所用キッチンペーパー等を受け皿上に敷き、滴り落ちた液体を吸い取らせれば、二重に液漏れ垂れ防止が可能である。これらは、廃材利用か使い捨てを想定された材料で且つ廉価である。５００ｍｌの飲料入りペットボトルで丸形透明なもので、底に対して上部２／３程度の高さに水平に筋が入っているものを、上部２／３程度で横に切断し、ペットボトルキャップを外してある注ぎ口の付いた上部１／３を上下逆さにし、残り下部２／３に差し込む。その際、その水平の筋がその差し込んだ上部を固定するのを助勢し、万が一本ペットボトルを落下又は倒した際、防水の役割を果たす。そして、このペットボトルキャップを外してある注ぎ口の付いた上部１／３で上下逆さにした部分が、うがい薬小ボトルのホルダーになる機能を果たす。垂れた液は、上部１／３の注ぎ口を下に伝って落ちて行き、下部２／３部分に集められ。溜まっていく。そして排水は、上部を外して、又は未使用時に逆さまにして捨てるだけである。そして、この形状は、落下・転倒時に下部に溜まった液が、上部と下部との接続がしっかり固定されていれば、上部の上下逆さまになった注ぎ口からは再漏出しずらい形状である。
【０００８】  これは、うがい薬入りプラス製ボトル以外にも、応用可能である。例えば、台所で使用する家庭用液体洗剤も、濡れた手で頻繁に持ち水回りで使用し、少量ずつ少量ずつ使用する液体容器であるが、うがい薬入り小ボトルと同様にスタンドとして使用すれば、床を濡らすことを防止することに改善が期待できる。また、この家庭用洗剤は、粘着性が高いため、使用中後半になり残りが僅かになると、その僅かに残った残液を、容器を逆さにすることによって搾り出すことが必要な粘着性があり、搾り出すのに時間がかかることがあるが、本スタンドに残量の少なくたった粘着性の液体容器を上下逆さに置いて置けば、使用したときに素早く容器から搾り出し使い始めることが出来るといった工夫した使用方法が考えられる。
【発明の効果】
液漏れ垂れ防止として、うがい薬入り小ボトルや台所用家庭液体洗剤の液漏れ垂れを受け止め、床濡れの改善をした。
【図面の簡単な説明】
【０００９】
【図１】本発明の斜見図である。
【図２】本発明の斜見図である。
【図３】本発明の斜見図である。
【図４】本発明の断面図である。
【図５】本発明の断面図である。
【図６】本発明の断面図である。
【発明を実施するための形態】
本発明を実施するための形態を説明する。
【符号の簡単な説明】
１  うがい薬コップ
２  うがい薬キャップ
３  うがい薬本体
４  ペットボトル上部
５  ペットボトル溝
６  ペットボトル下部
７  汲水剤
８  家庭用台所洗剤キャップ
９  家庭用台所洗剤本体
【図１】
2014158645.tif 000003
【図２】
2014158645.tif 000004
【図３】
2014158645.tif 000005
【図４】
2014158645.tif 000006
【図５】
2014158645.tif 000007
【図６】
2014158645.tif 000008